(57)【要約】【課題】従来技術にあっては、リフィールが前軸、後軸のいずれにも固定されていないので、リフィール交換の際に前軸を外した時に、リフィールが脱落、紛失する恐れがあり、リフィール交換の際には注意を払う必要があった。【解決手段】リフィールが交換可能な回転繰り出し式筆記具において、カム筒の内部に回転子と摺動子、並びに、リフィールを係合するリフィール受けと、そのリフィール受けを後方に向け付勢する弾撥部材を配置した回転繰り出しユニットを、前軸と後軸からなる軸筒に固定すると共に、前記リフィールをリフィール受けに対して着脱自在に係合させた回転繰り出し式筆記具。【選択図】　図５
2004058558.tif 000002
【特許請求の範囲】
【請求項１】
リフィールが交換可能な回転繰り出し式筆記具において、カム筒の内部に回転子と摺動子、並びに、リフィールを係合するリフィール受けと、そのリフィール受けを後方に向け付勢する弾撥部材を配置した回転繰り出しユニットを、前軸と後軸からなる軸筒に固定すると共に、前記リフィールをリフィール受けに対して着脱自在に係合させたことを特徴とする回転繰り出し式筆記具。
【発明の詳細な説明】
【０００１】
【発明の属する技術分野】
本発明はリフィールが交換可能な回転繰り出し式筆記具に関する。
【０００２】
【従来の技術】
従来、リフィールが交換可能な回転繰り出し式筆記具は数多く提案されている。例えば、特許登録第２７１８８８８号公報である。その公報には、リフィールを交換する際に、弾発部材が固定されている前軸と、回転繰り出し機構が固定されている後軸と、リフィールの３部品に分割し、そのリフィールを交換する記載がなされている。
【０００３】
【発明が解決しようとする課題】
しかし、リフィールが前軸、或いは、後軸のいずれにも固定されていないため、新しいリフィールを装着する際に、ややもすると前軸から脱落させてしまい、煩わしい交換作業となってしまっていた。
【０００４】
【課題を解決するための手段】
本発明は、リフィールが交換可能な回転繰り出し式筆記具において、カム筒の内部に回転子と摺動子、並びに、リフィールを係合するリフィール受けと、そのリフィール受けを後方に向け付勢する弾撥部材を配置した回転繰り出しユニットを、前軸と後軸からなる軸筒に固定すると共に、前記リフィールをリフィール受けに対して着脱自在に係合させたことを要旨とする。
【０００５】
【実施例】
本発明の実施の形態を図１〜図１０に示し、詳細に説明する。カム筒９と回転子１０、並びに、摺動子１１の構成並びに動作は、前記従来技術とほぼ同様である。カム筒９には、回転子１０が回転自在ではあるが前後動不能に挿着・嵌合されている。また、カム筒９内には、摺動子１１が挿着されているが、その摺動子１１は前記回転子１０に対しても摺動自在に挿着されている。さらに、カム筒９内には、コイルスプリングなどからなるバネ１３が配置されているが、そのバネ１３の前端部は、カム筒９の前方部に固定されたバネ受け１４のストッパー部１４ａに圧入されている。一方、バネ１３の後端部は、リフィール受け１２の筒状部１２ｃを介して、そのリフィール受け１２の後端に形成されたストッパー部１２ａに当接・係合している。即ち、バネ１３によってリフィル受け１２が後方に付勢されると共に、そのリフィル受け１２を介して前記摺動子１１も後方に向けて付勢されているのである。
なお、前記カム筒９とバネ受け１４は、カム筒９の内径部９ｂとバネ受け１４の圧入部１４ａにより圧入・接着されているが、圧入力が十分なものであるならば、必ずしも接着する必要はない。以上の構成により、カム筒９と回転子１０と、並びに、摺動子１１、リフィール受け１２、バネ１３、バネ受け１４が１つの部材となって、回転繰り出しユニット１が構成される。
【０００６】
前記リフィール受け１２の筒状部１２ｃの後部内面には、内径リブ１２ｂが形成されており、その内面リブ１２ｂにリフィール３が圧入・固定されている。
また、前記回転繰り出しユニット１のカム筒９の前方外面には、螺子部９ａが形成されており、前軸２の螺子部２ａに螺合している。即ち、この螺合によって、回転繰り出しユニット１と前軸２とが一体化されているのである。なお、回転子１０の後部には頭冠止め８が固定されているが、頭冠止め８に形成されたローレット部８ａに回転子１０の圧入部１０ａが圧入することによって固定されている。そして、その頭冠止め８の後端部には、螺子部８ｂが形成されており、その螺子部８ｂに頭冠７の螺子部７ａが螺合・接着固定されている。
参照符号４は後軸であって、その後軸４の後部には飾りリング５が圧入・接着されている。参照符号６は、前記後軸４に取り付けられたクリップである。
【０００７】
次に、本発明のリフィール３の脱動作について、図１〜図４に基づいて詳細に説明する。組立が完了されている状態から、カム筒９の螺子部９ａに、前軸２の螺子部２ａが螺合されている前軸２を外し、リフィール３をペン先長手方向に引き抜く。この時、そのリフィール３は、リフィール受け１２の内径リブ１２ｂに圧入されているため、摺動子１１と連結しているリフィール受け１２も同様にペン先の長手方向へ移動する。しかし、カム筒９の内径部９ｂにバネ受け１４の圧入部１４ｂが固定されていると共に、バネ受け１４のストッパー部１４ａとリフィール受け１２にストッパー部１２ａが設けられており、その間にバネ１３が配置されているため、そのバネ１３が圧縮され続けられるが、やがてバネ１３が密着し、この時点でリフィール受け１２はペン先長手方向への移動が阻止され、その結果、リフィール３は、リフィール受け１２の内径リブ１２ｂから抜け出ることになる。そして、リフィール３が、リフィール受け１２の内径リブ１２ｂから抜け出た瞬間に、前記リフィール受け１２は、バネ１３の弾撥力によって後方へ押し戻され、元の状態へと復帰する。これで、リフィール３のリフィール受け１２からの脱作業が完了する。なお、リフィール３をリフィール受け１２に挿着する場合には、逆の手順で行えばよい。
【０００８】
次に、本発明の組み立て工程について、図５〜図１０に基づいて詳細に説明する。最初に、カム筒９の後方から回転子１０を挿着・嵌合させると共に、カム筒９の前方から摺動子１１を挿入し、次いで、リフィール受け１２、バネ１３の順に挿入する。そして最後に、バネ受け１４をカム筒９の前方に圧入・接着固定する。これにより、回転繰り出しユニット１が出来上がる。
次に、リフィール３をリフィール受け１２の内径リブ１２ｂに圧入し、次いで、そのリフィール３を圧入した前記回転繰り出しユニット１を前軸２に螺合させ、互いを連結・固定する。次いで、頭冠止め８のローレット部８ａを回転子１０の圧入部１０ａに仮圧入する。ここで、後軸４に飾りリング５を固定すると共に、クリップ６を頭冠止め８の螺子部８ｂを通過するように配置させ、また、頭冠７の螺子部７ａを頭冠止め８の螺子部８ｂに螺合・接着させる。最後に、頭冠７の天面を押圧し、前記頭冠止め８と回転子１０を確実に圧入・固定させる。これで、組み立てが完了する。
この様に、本発明によれば、カム機構をユニット化（回転繰り出しユニット１）しているため、組み立て作業も簡素化されると共に、組み立ての容易性も向上する。
なお、摺動子１１とリフィール受け１２は連結されているが一体でも良い。また、バネ１３はコイルバネが好ましいが圧縮、弾撥する部材ならば、その形状や材質は適宜選択が可能である。さらに、リフィール受け１２は、本実施例では回転するが回転しないようにしても良い。また、リフィール３はリフィール受け１２の内径リブ１２ｂに着脱自在に圧入されているが、着脱自在に係止されていれば、その方法は適宜である。
【０００９】
【発明の効果】
本発明によると、リフィールが交換可能な回転繰り出し式筆記具において、カム筒の内部に回転子と摺動子、並びに、リフィールを係合するリフィール受けと、そのリフィール受けを後方に向け付勢する弾撥部材を配置した回転繰り出しユニットを、前軸と後軸からなる軸筒に固定すると共に、前記リフィールをリフィール受けに対して着脱自在に係合させたので、容易に確実にリフィールの交換作業を行うことができる。
【図面の簡単な説明】
【図１】本発明の一実施例要部切断正面図である。
【図２】図１のリフィール交換時における前軸着脱時の実施例要部切断正面図である。
【図３】図１のリフィール交換時におけるリフィール着脱中の実施例要部切断正面図である。
【図４】図１のリフィール交換時におけるリフィール着脱時の実施例要部切断正面図である。
【図５】回転繰り出しユニットの切断斜視図である。
【図６】回転繰り出しユニットの分解斜視図である。
【図７】図１の組み立て工程における組み立て前の要部切断分解正面図である。
【図８】図１の組み立て工程における組み立て中の要部切断分解正面図である。
【図９】図１の組み立て工程における仮組み時の要部切断正面図である。
【図１０】図１の組み立て工程における組み立て完了時の要部切断正面図である。
【符号の説明】
１　　　回転繰り出しユニット
２　　　前軸
３　　　リフィール
４　　　後軸
５　　　飾りリング
６　　　クリップ
７　　　頭冠
７ａ　　螺子部
８　　　頭冠止め
８ａ　　ローレット部
８ｂ　　螺子部
９　　　カム筒
９ａ　　螺子部
９ｂ　　内径部
１０　　回転子
１０ａ　圧入部
１１　　摺動子
１２　　リフィール受け
１２ａ　ストッパー部
１２ｂ　内径リブ
１２ｃ　筒状部
１３　　バネ
１４　　バネ受け
１４ａ　ストッパー部
１４ｂ　圧入部
【図１】
2004058558.tif 000003
【図２】
2004058558.tif 000004
【図３】
2004058558.tif 000005
【図４】
2004058558.tif 000006
【図５】
2004058558.tif 000007
【図６】
2004058558.tif 000008
【図７】
2004058558.tif 000009
【図８】
2004058558.tif 000010
【図９】
2004058558.tif 000011
【図１０】
2004058558.tif 000012